(57)【要約】      （修正有）【課題】嵩張った羽毛布団や衣類等の収納物を、圧縮パックを使用せずに約半分の体積に収納することが可能な収納袋を提供する。【解決手段】底面及び平面をその間の４側面を有した不織布製の収納袋１０であって、平面３辺とそれに接する側面部にファスナー２１を備え、収納袋の内側の側面部の上辺２箇所に布団を押さえるための芯板２０とその芯板２０を押さえるためのベルト３０を取り付けていることを特徴とする。【選択図】図１
0003185069.tif 000002
【実用新案登録請求の範囲】
【請求項１】
羽毛布団や衣類等の収納物を収納する収納袋において、底面及び平面とその間の４側面を有した収納袋であって、平面３辺とそれに接する側面部にファスナーを備え、収納袋の内側の側面部の上辺２箇所に布団を押さえるための芯板とその芯板を押さえるためのベルトを取り付けていることを特徴とする不織布製の収納袋。
【請求項２】
収納物を押さえるための芯板は、２枚の不織布の間に紙状の台紙を入れて縫製し、収納袋の左右内側、側面部の上辺に１枚以上の芯板を取り付け、左右の芯板の合わさる部分にテープファスナーを取り付け、芯板を連結させることを特徴とする請求項１記載の収納袋。
【請求項３】
収納物を押さえるためのベルトは、ベルトの途中が分断され、かつバックルを取り付けていることにより連結可能になり、芯板を連結した後にバックルを連結させて収納物の嵩を押さえることができることを特徴とする請求項１または２記載の収納袋。
【請求項４】
収納袋の側面部の一部に、透明または半透明からなる内部視認窓が形成されることを特徴とする請求項１〜３記載の収納袋。
【請求項５】
収納袋の左右側面部の外側に、持ち運び用の把持部が設けられていることを特徴とする請求項１〜４記載の収納袋。
【請求項６】
収納袋の左右側面部の内側に、防虫剤を収納できるポケットが設けられていることを特徴とする請求項１〜５記載の収納袋。
【考案の詳細な説明】
【技術分野】
【０００１】本考案は、羽毛布団や衣類等の収納物を保管する際に使用される収納袋に関するものである。
【背景技術】
【０００２】羽毛布団や衣類等の収納物を収納する際に使用される収納袋は、従来より種々のタイプがあり、幅広く利用されている。【０００３】一般的には、不織布等の生地を使用し、ファスナーや持ち手を備えた収納袋や圧縮パックなどが市販されている。【０００４】これらは、収納物に付着するゴミやほこりを防ぎ、押入れ等に保管する際に、整理・整頓することができる。【０００５】しかし、一般的な収納袋の場合、嵩高い羽毛布団等を入れると小さくまとまらず、収納袋の形状通りに収納することができず、収納袋を積み重ねて保管しづらかった。【０００６】また、一般的な圧縮パックの場合は、収納物の嵩を減らして保管することが可能であるが通気性が悪く、圧縮後の収納物の回復率が悪くなれば、収納物が圧縮前の状態に戻らなくなってしまうという問題があった。
【考案の概要】
【考案が解決しようとする課題】
【０００７】本考案の目的は、嵩張った羽毛布団や衣類等の収納物を圧縮パックを使用せずに約半分の体積に収納することが可能な収納袋を提案することにある。
【課題を解決するための手段】
【０００８】上記目的を達成するために、第１考案の収納袋は、底面及び平面をその間の４側面を有した不織布製の収納袋であって、平面３辺とそれに接する側面部にファスナーを備え、収納袋の内側の側面部の上辺２箇所に布団を押さえるための芯板とその芯板を押さえるためのベルトを取り付けていることを特徴とする。【０００９】第２考案の収納袋は、第１考案の収納袋において、収納袋を押さえるための芯板は、２枚の不織布の間に紙状の台紙を入れて縫製し、収納袋の左右内側、側面部の上辺に１枚以上の芯板を取り付け、左右の芯板の合わさる部分にテープファスナーを取り付け、芯板を連結させることを特徴とする。【００１０】第３の考案の収納袋は、第１考案または第２考案の収納袋において、収納物を押さえた芯板をさらに押さえ込むためのベルトは、ベルトの途中が分断され、かつバックルを取り付けていることにより連結可能になり、芯板を連結した後にバックルを連結させて収納物の嵩を押さえることができることを特徴とする。【００１１】第４考案の収納袋は、第１〜第３考案の収納袋において、収納袋の側面部の一部に透明または半透明からなる内部視認窓が形成されることを特徴とする。【００１２】第５考案の収納袋は、第１〜第４考案の収納袋において、収納袋の左右側面部の外側に持ち運び用の把持部が設けられていることを特徴とする。【００１３】第６考案の収納袋は、第１〜５考案の収納袋において、収納袋の左右側面部の内側に防虫剤を収納できるポケットが設けられていることを特徴とする。
【考案の効果】
【００１４】第１の考案によれば、不織布製の収納袋の内側に芯板とその芯板を押さえるためのベルトを設けることにより、布団の嵩を減らすことが可能である。【００１５】また、不織布製の生地を使用することにより圧縮パックを使用する際と比べ、通気性が良くなり収納物の形状を保つことができる。【００１６】第２の考案によれば、収納物を押さえるための芯板には、紙状の台紙を使用することにより収納物の嵩を容易に減らすことが可能である。【００１７】また、芯板にテープファスナーを備えることにより、収納物を押さえ込んだ際に、芯板を連結することができる。【００１８】第３の考案によれば、収納物に備えているベルトは、芯板を固定した後にバックルを連結させることにより、収納物の嵩を押さえ込むことができるため、収納袋の形状が安定し、積み重ねて保管することができる。【００１９】第４の考案によれば、収納袋の側面部の一部に透明または半透明からなる内部視認窓が形成されることにより、収納袋に収納した収納物を一目で確認することができる。【００２０】第５の考案によれば、収納袋の左右側面部の外側に把持部を設けていることにより容易に持ち運ぶことができる。【００２１】第６の考案によれば、収納袋の左右側面部の内側にポケットを設けていることにより、防虫剤を収納することが可能であり収納物を害虫から守ることができる。
【考案を実施するための形態】
【００２２】図１は本考案の実施形態を示す斜視図であり、１０は不織製の収納袋、２０は芯板、３０はベルト、４０は内部視認窓、５０は把持部、６０はポケットである。
【００２３】芯板２０を連結するためのテープファスナー２１を設けている。
【００２４】図２は、不織布製の収納袋１０に収納物７０を収納しようとしている状態である。
【００２５】収納物７０を収納し芯板２０で押さえ込みテープファスナー２１で連結させる。
【００２６】図３は、収納物７０を押さえ込んだ芯板２０をさらに押さえ込み、分断したベルト３０に取り付けられているバックル３１で連結させ、収納物７０の嵩を減らす。
【００２７】図４は、不織布製の収納袋１０に、収納物７０の収納が完了した状態である。
【００２８】以上、本考案の一実施例について説明したが、本考案は上記実施例に限定されるものではなく適宜変形実施可能である。
【図面の簡単な説明】
【００２９】
【図１】  本考案に係る収納袋の一実施例を示す斜視図である。
【図２】  本考案に係る収納袋の一実施例を示す、収納袋に収納物を入れた状態の斜視図である。
【図３】  本考案に係る収納袋の一実施例であり、収納袋に収納物を入れた後、芯板を連結し分断されたベルトをバックルで連結させた状態を示す斜視図である。
【図４】  本考案に係る収納袋の一実施例であり、収納袋に収納物を完全に収納した状態の斜視図である。
【符号の説明】
【００３０】１０  不織布製収納袋
２０  芯板
２１  テープファスナー
３０  ベルト
３１  バックル
４０  内部視認窓
５０  把持部
６０  ポケット
７０  収納物
【図１】
0003185069.tif 000003
【図２】
0003185069.tif 000004
【図３】
0003185069.tif 000005
【図４】
0003185069.tif 000006